(57)【要約】【課題】本発明は、異なる充電モードを持つ電池充電システム及びその方法を提供することを目的とする。【解決手段】本発明の電池充電システムは、電池を充電し，交流電源に接続する電源アダプタを備え、前記電源アダプタが、交流電源を直流電源に変換して、電池を充電する電池充電システムにおいて、前記電池充電システムは、さらに電池と、前記電源アダプタに接続する電池管理モジュールと、を備え、前記電池管理モジュールは、複数の予備の充電モードを備え、且つその中の一つを選択して、前記電源アダプタが、前記電池に充電する電流と、電圧とを制御する。【選択図】図１
2013143911.tif 000002
【特許請求の範囲】
【請求項１】
電池を充電し、交流電源と接続する電源アダプタを備え、前記電源アダプタが交流電源を直流電源に変換して電池を充電する電池充電システムにおいて、
前記電池充電システムは、さらに電池、及び前記電源アダプタに接続する電池管理モジュールと、を備え、
前記電池管理モジュールは、複数の予備の充電モードを備え且つその中の一つを選択して、前記電源アダプタが前記電池に充電する電流と、電圧と、を制御することを特徴とする電池充電システム。
【請求項２】
複数の充電モードは異なる充電電圧、及び／又は充電電流に適用し、
前記電池管理モジュールは設置モジュールを備え、
前記設置モジュールはユーザが要求する充電モードを選択することを特徴とする請求項１に記載の電池充電システム。
【請求項３】
電源アダプタを、交流電源と、電池とに接続し、前記電源アダプタが、交流電源を直流電源に変換し、電池管理モジュールは複数の予備充電モードによって、複数の充電モードを異なる充電電圧、及び／又は充電電流に対応させ、前記複数の充電モードから一つを選択して、電源アダプタが電池を充電する電流及び電圧を制御することを特徴とする電池充電の方法。
【請求項４】
複数の充電モードは、標準型充電モードと、長期放電型充電モードと、長寿命型充電モードと、を備え、
前記標準型充電モードは、第一充電電流と、及び第一充電電圧とに対応し、
前記長期放電型充電モードは、前記第一充電電流の第二充電電流と、前記第一充電電圧とに対応し、
前記長寿命型充電モードは、前記第一充電電流と、第一充電電圧より小さい第二充電電圧とに、対応し、
前記電池管理モジュールは対応する充電モードを選択した場合、前記電源アダプタを制御して、対応する充電電流、及び充電電圧で、電池を充電することを特徴とする請求項３に記載の電池充電の方法。
【発明の詳細な説明】
【技術分野】
【０００１】
本発明は、電池充電システムに関するものである。
【背景技術】
【０００２】
各携帯電子装置（例えば、ノートパソコン、携帯電話等）には、電池が設置され、電子装置内の電子素子に給電する。ユーザは、電池の使用状況によって、電池の充電要求が異なってくる。例えば、携帯電子装置が、室外で、電池を充電することができない場合には、携帯電子装置の電池の給電時間が長いことが求められる。室内で携帯電子装置を使用する場合には，携帯電子装置の電池の使用寿命が長いことを求める。しかし、従来の電池充電システム及びその方法は、単一の充電モードによって充電するしかないために、一回の電池充電による使用時間、及び電池の使用寿命が短いので、ユーザの異なる要求を満足しない。
【発明の概要】
【発明が解決しようとする課題】
【０００３】
以上の問題点に鑑みて、本発明は、異なる充電モードを持つ電池充電システム及びその方法を提供することを目的とする。
【課題を解決するための手段】
【０００４】
電池を充電し，交流電源と接続する電源アダプタと、を備え、前記電源アダプタが、交流電源を直流電源に変更して、電池を充電する電池充電システムにおいて、前記電池充電システムは、さらに電池、及び前記電源アダプタと接続する電池管理モジュールと、を備え、前記電池管理モジュールは、複数の予備の充電モードを備え、且つその中の一つを選択して、前記電源アダプタが、前記電池に充電する電流と、及び電圧と、を制御する。
【０００５】
電池充電の方法は、電源アダプタを、交流電源と、及び電池との接続し、前記電源アダプタが、交流電源を直流電源に変更し、電池管理モジュールは、複数の予備充電モードによって、複数の充電モードが、異なる充電電圧、及び／又は充電電流に対応し、前記複数の充電モードから一つを選択して、電源アダプタが電池を、充電する電流及び電圧を制御する。
【発明の効果】
【０００６】
本発明の電池充電システム及びその方法は、電池管理モジュールに異なる充電モードを設置して、異なる要求によって、異なる充電モードで電池を充電してユーザの要求を満足させる。
【図面の簡単な説明】
【０００７】
【図１】本発明に係る電池充電システムの結構図である。
【図２】図1に示した電池充電システムの電池管理モジュールの結構図である。
【図３】図2に示した電池充電システムの監視モジュールの結構図である。
【図４】本発明に係る電池充電方法を表する図である。
【発明を実施するための形態】
【０００８】
以下、図面に基づいて、本発明に係る電池充電システムについて詳細に説明する。
【０００９】
図１に示したように、本発明に係る電池充電システムは、交流電源１０と、電源アダプタ２０と、及び電子装置３０とを備える。電源アダプタ２０は、交流電源１０と電池４０とを接続し、交流電源を直流電源に変換して、電池４０に給電する。電池管理モジュール５０は、電池４０と電源アダプタ２０とを接続して、電池４０の状態を、監視し、且つ電源アダプタ２０が、電池４０を充電する際、充電電流、及び／又は充電電圧を制御する。
【００１０】
図２に示したように、電池管理モジュール５０は、設置モジュール５１と、設置モジュール５１に接続する監視モジュール５２と、監視モジュール５２に接続する電池管理制御モジュール５３と、監視モジュール５２に接続する電池電圧制御モジュール５４と、を備える。
【００１１】
設置モジュール５１は、充電モードを選択して設定することができる。本発明の実施形態において、電池管理モジュール５０は、三種類の充電モードを備え、ぞの三種類の充電モードは、標準型充電モードと、長期放電型充電モードと、長寿命型充電モードと、を備える。標準型充電モードが起動した場合、電池管理モジュール５０は電源アダプタ２０を制御して、第一充電電流と、第一充電電圧とが、電池４０を充電する。長期放電型充電モードが起動した場合、電池管理モジュール５０は、電源アダプタ２０を制御して、第一充電電流の第二充電電流と、第一充電電圧とが、電池４０を充電して、充電電流が小さくなり、充電電圧は不変である。長寿命型充電モードが起動した場合、電池管理モジュール５０は、電源アダプタ２０を制御して、第一充電電流と、第一充電電圧より低い第二充電電圧とが、電池４０を充電し、充電電流は不変であり、充電電圧が低くなる。本発明の実施形態において、第一充電電流は、７Ａ（アンペア）であり、第一充電電圧は、１２．６Ｖ（ボルト）であり、第二充電電流は、２Ａ、第二充電電圧は１２．３Ｖである。
【００１２】
長期放電型充電モードによって電池４０を充電する場合、充電電流が小さいので、充電時間が、長くなる。しかし、充電電流が小さいので、電池４０の内部消耗が少ないし、その消耗は、充電電流と、電池の内部抵抗とを、掛け算して獲得するので、電池４０が、長期放電型充電モードによって充電した後、充電容量が高いし、一回充電した後、長期間使用することができる。この充電モードは、室外で、充電が不便な所で使用する場合、好適である。
【００１３】
長寿命型充電モードによって電池４０を充電する場合、充電電圧が低いので、電池４０の各充電ユニットの電圧が低くなるので、長寿命型充電モードによって充電した電池４０は、充電容量が小さく、放電時間が短くなり、一回充電した後、使用時間が短くなる。しかし、充電電圧が低い充電モードは、電池４０の使用寿命を、延ばせて、電池の充電、及び放電回数を高めることができる。
【００１４】
図３に示したように、監視モジュール５２は、電池電流監視ユニット５２１と、電池電圧監視ユニット５２２と、電池容量監視ユニット５２３と、電池放電回数監視ユニット５２４と、を備える。電池電流監視ユニット５２１は、電池４０を充電する場合、充電電流を監視する。監視した結果、もし充電電流が、選択した充電モードの充電電流と、相応しくないと判断した場合、電流調整信号を、電池管理制御モジュール５３に送信し、電池管理制御モジュール５３は、充電電流を予備値に調整する。電池電圧監視ユニット５２２は、電池４０が充電される場合、充電電圧を監視し、もし充電電圧が、選択した充電モードの充電電圧と、相応しくないと判断した場合、電圧調整信号を、電池電圧制御モジュール５４に送信し、電池電圧制御モジュール５４は、充電電圧を予備値に調整する。電池容量監視ユニット５２３は、電池４０の充電容量を監視する。電池放電回数監視ユニット５２４は、電池４０の放電回数を監視する。
【００１５】
本発明の実施形態において、電源アダプタ２０は、設置モジュール５１が選択した充電モードによって電池４０を充電する。もしユーザが、設置モジュール５１を使わなく充電モードを、選択した場合、電池管理モジュール５０は、以下に二つの条件（或いは一つの条件）を満足するかどうかを判断する。条件１．電池４０の実際の充電容量が、標準の充電容量の８０％より小さい；条件２．電池４０の充電、及び放電回数が１００回を超える。もし、以上の二つの条件、或いは一つの条件を満足する場合、電池管理モジュール５０は、充電モードを、自動的に長寿命型充電モードに取り替える。もし以上の二つの条件、或いは一つの条件を満足しない場合、標準型充電モードによって電池４０を充電する。
【００１６】
図４に示したように、本発明の実施形態において、電池充電システの充電方法は、以下のステップを備える。ステップＳ０１において、電源アダプタ２０を、交流電源１０と、電池４０とを接続する。ステップＳ０２において、電池管理モジュール５０は、設置モジュール５１が標準型充電モード以外のほかの充電モードを選択したどうかを判断する。本発明の実施形態において、設置モジュール５１は、長寿命型充電モード、或いは長期放電型充電モードを提供し、もしユーザが、充電モードを選択しなかった場合、自動的に、標準型充電モードを選択して、充電する。
【００１７】
ステップＳ０３において、もし設置モジュール５１が、標準型充電モード以外の充電モードを選択した場合、電源アダプタ２０は、選択した充電モードによって、電池４０を充電する。例えば、設置モジュール５１が長期放電型充電モードを選択した場合、電池管理モジュール５０は、信号を送信して、電源アダプタ２０を制御して、電源アダプタ２０が、第二充電電流（標準の充電電流より小さい）と、及び第一充電電圧（標準の充電電圧）によって、電池４０を充電（長期放電型充電モード）する。設置モジュール５１が、長期放電型充電モードを選択した場合、電池管理モジュール５０は、信号を送信し、電源アダプタ２０を制御して、電源アダプタ２０が、第一充電電流（標準の充電電流）と、及び第二充電電圧（標準の充電電圧より低い）によって、電池４０を充電（長寿命型充電モード）する。
【００１８】
ステップＳ０４において、もし設置モジュール５１が、充電モードを選択しなかった場合、監視モジュール５２の電池放電回数監視ユニット５２４は、電池４０の放電、及び充電回数を監視する。ステップＳ０５において、監視モジュール５２は、電池４０の放電、及び充電回数が、１００回を超えたかどうかを判断する。ステップＳ０６において、もし、電池４０の放電、及び充電回数が、１００回を超えた場合、長寿命型充電モードによって、電池４０を充電する。ステップＳ０７において、もし、電池４０の放電、及び充電回数が、１００回を超えなかった場合、電池４０の実際の充電容量が、標準の充電容量の８０％より、小さいかどうかを判断する。もし電池４０の実際の充電容量が、標準の充電容量の８０％より、小さい場合、ステップＳ０６に戻って、長寿命型充電モードによって、電池４０を充電する。もし電池４０の実際の充電容量が、標準の充電容量の８０％より、小さくない場合、ステップＳ０８に進める。ステップＳ０８において、電池管理モジュール５０は、制御信号を、電源アダプタ２０に送信して、電源アダプタ２０は、第一充電電流（標準の充電電流）と、及び第一充電電圧（標準の充電電圧）によって、電池４０を充電（標準の充電モード充電）する。
【符号の説明】
【００１９】
１０電源
２０電源アダプタ
３０電子装置
４０電池
５０電池管理モジュール
５１設置モジュール
５２監視モジュール
５３電池管理制御モジュール
５４電池電圧制御モジュール
５２１電池電流監視ユニット
５２２電池電圧監視ユニット
５２３電池容量監視ユニット
５２４電池放電回数監視ユニット
【図１】
2013143911.tif 000003
【図２】
2013143911.tif 000004
【図３】
2013143911.tif 000005
【図４】
2013143911.tif 000006